(57)【要約】【課題】表示する画像の品質を損なわず焼き付きを低減することで、良好な画像表示が実現できるプラズマディスプレイ装置を提供することを目的とする。【解決手段】プラズマディスプレイパネル１５０を表示デバイスとして用いたプラズマディスプレイ装置１００であって、入力映像を画面全体の領域に表示させ、且つ部分的に拡大率、もしくは縮小率を変更する非線形スケーラー回路１２０を備え、前記非線形スケーラー回路１２０により、時間的且つ映像領域毎に拡大率・縮小率の適用を変化させていくことによって、入力画面の表示に欠けを発生させることなく表示画面を移動させてプラズマディスプレイパネル１５０の焼き付きを低減させることを特徴とするプラズマディスプレイ装置１００である。【選択図】図１
2010091773.tif 000002
【特許請求の範囲】
【請求項１】
プラズマディスプレイパネルを表示デバイスとして用いたプラズマディスプレイ装置であって、入力映像を画面全体の領域に表示させ、且つ部分的に拡大率、もしくは縮小率を変更する非線形スケーラー回路を備え、前記非線形スケーラー回路により、時間的且つ映像領域毎に拡大率・縮小率の適用を変化させていくことによって、入力画面の表示に欠けを発生させることなく表示画面を移動させてプラズマディスプレイパネルの焼き付きを低減させることを特徴とするプラズマディスプレイ装置。
【発明の詳細な説明】
【技術分野】
【０００１】
本発明は、プラズマディスプレイパネル（以下、ＰＤＰともいう）を表示デバイスとして用いたプラズマディスプレイ装置に関するものである。
【背景技術】
【０００２】
ＰＤＰには大別して、駆動的にはＡＣ型とＤＣ型があり、放電形式では面放電型と対向放電型の２種類があるが、高精細化、大画面化および製造の簡便性から、現状では、３電極構造の面放電型が主流である。
【０００３】
この面放電型のＰＤＰの構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなＰＤＰは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている（特許文献１参照）。
【特許文献１】特開２００３−１３１５８０号公報
【発明の開示】
【発明が解決しようとする課題】
【０００５】
ところで、上記ＰＤＰを表示デバイスとして用いたプラズマディスプレイ装置においては、同じ映像を一定時間以上表示させたままにすると、いわゆる「焼き付き」が発生する場合があった。
【０００６】
本発明はこのような現状に鑑みなされたもので、表示する画像の品質を損なわず焼き付きを低減することで、良好な画像表示が実現できるプラズマディスプレイ装置を提供することを目的とする。
【課題を解決するための手段】
【０００７】
上記目的を実現するために本発明のプラズマディスプレイ装置は、プラズマディスプレイパネルを表示デバイスとして用いたプラズマディスプレイ装置であって、入力映像を画面全体の領域に表示させ、且つ部分的に拡大率、もしくは縮小率を変更する非線形スケーラー回路を備え、前記非線形スケーラー回路により、時間的且つ映像領域毎に拡大率・縮小率の適用を変化させていくことによって、入力画面の表示に欠けを発生させることなく表示画面を移動させてプラズマディスプレイパネルの焼き付きを低減させることを特徴とするものである。
【発明の効果】
【０００８】
本発明によれば、表示する画像の品質を損なわず焼き付きを低減することが可能となり、もって良好な画像表示が実現できるプラズマディスプレイ装置を提供することができる。
【発明を実施するための最良の形態】
【０００９】
以下、本発明の一実施の形態によるプラズマディスプレイ装置について、図を用いて説明する。
【００１０】
図１は、本発明の一実施の形態によるプラズマディスプレイ装置の概略構成を示すブロック図である。プラズマディスプレイ装置１００は、入力映像を非線形に拡大、もしくは縮小する非線形スケーラー回路１２０、非線形スケーラー回路１２０を制御するマイコン１１０、非線形スケーラー回路１２０にクロックを供給するクロック生成器１３０、ＰＤＰ１５０、ＰＤＰ１５０に映像を表示させる為の放電回路１４０、を備える。
【００１１】
また、非線形スケーラー回路１２０は、映像データを格納するラインメモリの選択を行なうスイッチ１２１、１２４、ラインメモリ１２２、１２３、ラインメモリ１２２、１２３から出力された映像データを混合して、映像を生成するデータ混合器１２５を備える。
【００１２】
以上の構成において、入力された映像信号を非線形に拡大する制御に関して以下、述べる。非線形スケーラー回路１２０に入力されたデジタルの映像信号は、スイッチ１２１を介して、２つのラインメモリ１２２、１２３のいずれかに、書き込みクロックＷＣＫによって選択的に書き込まれる。ラインメモリ１２２、１２３はともに書き込みクロックＷＣＫと読み出しクロックＲＣＫが独立に入力され、クロック生成器１３０から生成されるリードイネーブル信号ＲＥが入力されて制御される。
【００１３】
そして、スイッチ１２１と逆に制御されるスイッチ１２４が水平ライン毎に切り替えられ、ラインメモリ１２２、１２３に書き込まれたデータは読み出しクロックＲＣＫによって交互に読み出される。ラインメモリ１２２、１２３から読み出された画素データはデータ混合器１２５に入力され、データ混合器１２５は所定の係数に従った混合比で２個の画素データを混合した画素データを生成し、非線形スケーラー回路１２０から映像データを出力する。
【００１４】
図２は、２つのラインメモリ１２２、１２３のうちの、一方のラインメモリの書き込み、読み出し動作を、横軸を時間、縦軸をメモリアドレスとして模式的に示したものであり、前半の１水平期間は書き込み、後半の１水平期間は読み出しを示している。他方のラインメモリは、一方のラインメモリが書き込みの時は読み出し、読み出しの時は書き込みの動作をしている。
【００１５】
また、図３は、図２におけるラインメモリの読み出しの状態（図２中の、直線Ａ、曲線Ｂ、曲線Ｃ）に対する映像表示の状態を模式的に示す図である。
【００１６】
ここで、書き込みのクロックＷＣＫに対して、読み出しのクロックＲＣＫも、図２中に直線Ａで示すように直線的に読み出しを行うのであれば、図３（ａ）に示すように、入力と同じイメージの映像が出力される。ここで読み出し速度を速くする事により、映像を拡大する事が可能であり、逆に読み出し速度を遅くする事により、映像を縮小する事が可能となる。ここで、その読み出しクロックのイネーブル信号を時間的に変化させてやる事により、非線形な拡大、縮小をする事が出来る。
【００１７】
例えば図２中に曲線Ｂで示すような読み出し方とした場合、映像の開始側の読み出し速度が速くなっている為、映像が縮小され、映像の終端側の読み出し速度が遅くなっている為、拡大され、図３（ｂ）に示すように、中心が左に寄った映像となる。
【００１８】
また図２中に曲線Ｃで示すような読み出し方をした場合、映像の開始側の読み出し速度が遅くなっている為、映像が拡大され、映像の終端側の読み出し速度が速くなっている為、映像が縮小され、図３（ｃ）に示すように、中心が右に寄った映像となる。このように、読み出しイネーブル信号ＲＥを非線形で与える事により、非線形な映像を取り出す事が可能となる。
【００１９】
図４は、図１中のデータ混合器１２５の動作を説明するための図である。Ａ１、Ｂ１、Ｃ１、Ｄ１はラインメモリに入力されるクロックＷＣＫのタイミングで入力された画素データである。Ａ２、Ｂ２、Ｃ２、Ｄ２、Ｅ２は、ラインメモリから出力されるＲＣＫのタイミングで記載された画素データである。ここで、入出力のタイミングが異なる映像変換をする際の違和感をなるべく発生させない為、複数の入力画素データから出力画素データを生成する方法に関して述べる。例えばＡ２に関してはＡ１のデータと同じタイミングである為、Ａ２＝Ａ１とすればよいが、Ｂ２に関しては、Ａ１とＢ１の間である事から、Ａ１側の影響度、Ｂ１側の影響度をタイミングの係数をもって混合し、Ｂ２＝Ａ１＊β／（α＋β）＋Ｂ１＊α／（α＋β）と与えればよい。同様にＣ２＝Ｂ１＊θ／（γ＋θ）＋Ｃ１＊γ／（γ＋θ）と与えればよい。
【００２０】
また、ラインメモリを持つ事と同様に、フレームメモリを持つ事により、その時は垂直の映像読み出しを非線形に動作させる事によって、垂直方向に関しても非線形な映像を取り出す事が可能となる。
【００２１】
上記のような、非線形スケーラーブロックを用いる事により、元の画像が図３（ａ）のような映像に対し、図３（ｂ）、図３（ｃ）に示すような非線形な映像出力をする事が可能となる。これにより、時間的に拡大率、縮小率の適用を映像領域毎に変更していく事によって、映像全体を欠けさせる事なく、映像の位置を一定時間毎に動かす事が可能となり、プラズマディスプレイの焼き付きを低減させる事を可能とするシステムを実現する事ができる。
【００２２】
なお、この非線形スケーラー回路は、４：３の映像を１６：９で表示させる際、中心から周辺にかけて拡大率を大きくして表示させる、「ジャスト」と呼ばれるアスペクト処理で用いられている回路を流用する事ができれば、新規の回路追加なしに実現する事が可能である。
【００２３】
ここで比較のため、図５に示すようなプラズマディスプレイ装置５００について、図を用いて説明する。
【００２４】
図５は、比較のためのプラズマディスプレイ装置の概略構成を示すブロック図である。プラズマディスプレイ装置５００は、入力映像を拡大、もしくは縮小するスケーラー回路５２０、スケーラー回路５２０を制御するマイコン５１０、スケーラー回路５２０にクロックを供給するクロック生成器５３０、ＰＤＰ５５０、ＰＤＰ５５０に映像を表示させる為の放電回路５４０、を備える。
【００２５】
また、スケーラー回路５２０は、映像データを格納するラインメモリの選択を行なうスイッチ５２１、５２４、ラインメモリ５２２、５２３、ラインメモリ５２２、５２３から出力された映像を読み込む時に位置制御を行なう回路５２５、ラインメモリ５２２、５２３から出力された映像データを混合して、映像を生成するデータ混合器５２６を備える。
【００２６】
以上の構成においては、まず、スケーラー回路５２０によって、映像をディスプレイの画素に変換する。ここではＶＧＡ（６４０ｘ４８０画素）の映像を、ＸＧＡ（１０２４ｘ７６８画素）のディスプレイに拡大する場合を想定すると、スケーラー５２０にて１０２４／６４０倍の水平方向の拡大率に設定し、７６８／４８０倍の垂直方向の拡大率に設定する事により、ディスプレイの大きさに表示する事ができる。
【００２７】
この時、スイッチ５２１、５２４は、ラインメモリ５２２、５２３がどちらかに書き込みであれば、もう一方のラインメモリが読み込みになるよう、データ混合器５２６に対して順次映像が出力されるように制御を行なう。またラインメモリ５２２、５２３は、書き込み用クロックはＶＧＡの２５．１８ＭＨｚになるように、また出力の為の読み出し用のクロックはＸＧＡの６５．００ＭＨｚになるように設定を行う。読み出し制御部５２５、とデータ混合器５２６とは順次入力された映像データの混合を行い、出力する。
【００２８】
以上の構成においては、映像位置を動かす事によって焼き付きを低減する。その動作に関して以下、説明する。
【００２９】
図６を用いてその動作を示す。図６（ａ）はラインメモリから映像を読み出すタイミングを示す図である。通常はこの図のように映像が格納されている最初の画素データ位置からデータを読み出す事で、ディスプレイの境界と入力映像の境界が一致する事により、図６（ｂ）のような映像を生成する。
【００３０】
ここで、図６（ｃ）のように読み出すタイミングを数画素分遅延させた場合、図６（ｄ）のように、ディスプレイの左の境界に対して映像は左に動いたイメージとなる。また図６（ｅ）のように読み出すタイミングを数画素分進めた場合、図６（ｆ）のように映像は右に動いたようなイメージとなる。
【００３１】
また、ラインメモリを持つ事と同様に、フレームメモリを持つ事により、その時は垂直の映像読み出し位置を変更する事によって、垂直位置に関しても映像表示位置を上下に動かす事ができる。
【００３２】
以上のような移動の動作を数秒〜数分毎に１画素ずつ、移動範囲を水平、垂直共に数画素の範囲を持たせる事によって、１つの場所で表示されていた画素データの発光時間が分散される。例えば垂直、水平とも±５ドットの範囲で１画素ずつ、ロの字に動かす事によって、図６（ｇ）に示すように、中心の１画素が周辺の４０画素の範囲を移動する事になり、発光時間が分散され、焼き付きが低減される。
【００３３】
しかし、上記のような、比較のためのプラズマディスプレイ装置における焼き付き低減の方法では、画面全体を動かすことによるものであるため、周辺の映像が画面外に出される状態となってしまう。例えば図６（ｄ）のように、左側が欠けた状態となる。これはパソコン信号のような情報表示装置においては、情報不足を招く場合や、欠ける側とは反対側に黒い映像外の領域が見える事により、受像に違和感をもたらす等の表示画像の品質の低下という問題が発生してしまう。
【００３４】
しかしながら本発明一実施の形態によるプラズマディスプレイ装置では、前述したように、入力映像を画面全体の領域に表示させ、且つ部分的に拡大率、もしくは縮小率を変更する非線形スケーラー回路を備えており、この非線形スケーラー回路により、時間的且つ映像領域毎に拡大率・縮小率の適用を変化させていくことによって、入力画面の表示に欠けを発生させることなく且つＰＤＰの焼き付きを低減させることが可能となる。
【産業上の利用可能性】
【００３５】
以上のように本発明は、大画面、高精細のプラズマディスプレイ装置を提供する上で有用な発明である。
【図面の簡単な説明】
【００３６】
【図１】本発明の一実施の形態によるプラズマディスプレイ装置の概略構成を示すブロック図
【図２】ラインメモリの書き込み、読み出し動作を、横軸を時間、縦軸をメモリアドレスとして模式的に示す図
【図３】図２におけるラインメモリの読み出しの状態に対する映像表示の状態を模式的に示す図
【図４】図１中のデータ混合器の動作を説明するための図
【図５】比較のためのプラズマディスプレイ装置の概略構成を示すブロック図
【図６】図５のプラズマディスプレイ装置における焼き付き低減の動作を説明するための図
【符号の説明】
【００３７】
１００  プラズマディスプレイ装置
１１０  マイコン
１２０  非線形スケーラー回路
１２１、１２４  スイッチ
１２２、１２３  ラインメモリ
１２５  データ混合器
１３０  クロック生成器
１４０  放電回路
１５０  プラズマディスプレイパネル（ＰＤＰ）
【図１】
2010091773.tif 000003
【図２】
2010091773.tif 000004
【図３】
2010091773.tif 000005
【図４】
2010091773.tif 000006
【図５】
2010091773.tif 000007
【図６】
2010091773.tif 000008